【手続補正書】
【提出日】平成18年1月30日(2006.1.30)
【手続補正１】
【補正対象書類名】明細書
【補正対象項目名】発明の名称
【補正方法】変更
【補正の内容】
【発明の名称】画像処理装置、画像形成装置、画像処理システム、画像処理方法およびその方法をコンピュータに実行させるプログラム
【手続補正２】
【補正対象書類名】明細書
【補正対象項目名】特許請求の範囲
【補正方法】変更
【補正の内容】
【特許請求の範囲】
【請求項１】  画像形成装置との間でデータの送受信を行うと共に、所定の画像を表示手段に表示する画像処理装置において、
指定された複数の出力条件情報に基づいて複数種類の描画命令を生成する描画命令生成手段と、
前記描画命令生成手段によって生成された複数の描画命令を前記画像形成装置へ送信する送信手段と、
前記複数種類の描画命令に基づいて複数の画像を生成した前記画像形成装置からの複数の画像を受信する受信手段と、
前記受信手段によって受信された複数の画像を前記表示手段に表示する表示制御手段と、
を備えたことを特徴とする画像処理装置。
【請求項２】  前記表示手段に表示された複数の画像のうちのユーザにより指定される画像に対応する出力条件情報を基に描画命令を生成し、この描画命令を前記画像形成装置へ送信する特定描画命令生成手段
を更に備えたことを特徴とする請求項１に記載の画像処理装置。
【請求項３】  所定の画像を表示すると共に出力条件情報に基づいて描画命令を生成する画像処理装置との間でデータの送受信を行う画像形成装置において、
前記画像処理装置から送信された複数種類の描画命令を受信する受信手段と、
前記受信手段によって受信された複数種類の描画命令に基づいて複数の画像を生成する画像生成手段と、
前記画像生成手段によって生成された複数の画像を前記画像処理装置へ送信する送信手段と、
を備えたことを特徴とする画像形成装置。
【請求項４】  前記受信手段が、前記複数の画像を受信した前記画像処理装置から送信され、当該複数の画像中の指定された画像に対応する描画命令を受信した場合に、当該描画命令に基づいて印刷処理を実行する印刷処理手段
を更に備えたことを特徴とする請求項３に記載の画像形成装置。
【請求項５】  画像処理装置と画像形成装置とを有し、前記画像処理装置は出力条件情報に基づいて生成した描画命令を前記画像形成装置へ送信し、前記画像形成装置は受信した前記描画命令に基づいて生成した画像を前記画像処理装置へ送信する画像処理システムであって、
前記画像処理装置は、
指定された複数の出力条件情報に基づいて複数種類の描画命令を生成し、これら複数種類の描画命令を前記画像形成装置へ送信する描画命令生成手段、を備え、
前記画像形成装置は、
前記描画命令生成手段から送信された複数種類の描画命令に基づいて複数の画像を生成し、これら複数の画像を前記画像処理装置へ送信する画像生成手段、
を備え、
さらに、前記画像処理装置は、
前記画像生成手段から送信された複数の画像を表示する表示手段を、
更に備えたことを特徴とする画像処理システム。
【請求項６】  前記画像処理装置は、前記表示手段に表示された複数の画像のうちのユーザにより指定される画像に対応する出力条件情報を基に描画命令を生成し、この描画命令を前記画像形成装置へ送信する特定描画命令生成手段、
を更に備え、
前記画像形成装置は、
前記特定描画命令生成手段から送信された描画命令に基づいて印刷処理を実行する印刷処理手段、
を更に備えたことを特徴とする請求項５に記載の画像処理システム。
【請求項７】  前記画像生成手段は、前記複数種類の描画命令に基づいて複数の画像を生成するに際し、色合わせ処理、ガンマ変換処理、色変換処理、変倍処理、および中間調処理の各描画処理要素のうち１つ以上の描画処理要素を含む描画処理を実行して画像を生成することを特徴とする請求項５に記載の画像処理システム。
【請求項８】  前記画像生成手段は、生成した複数の画像を圧縮して前記画像処理装置へ送信することを特徴とする請求項５に記載の画像処理システム。
【請求項９】  前記画像生成手段は、生成した複数の画像を送信する際に用いる圧縮方式を、その複数の画像を生成した描画処理に基づいて決定することを特徴とする請求項８に記載の画像処理システム。
【請求項１０】  前記表示手段は、前記複数の画像を同時に表示することを特徴とする請求項５または６に記載の画像処理システム。
【請求項１１】  前記複数の出力条件情報は、１つ以上の描画処理要素を含む描画処理のパラメータを決定する要素を含んでいることを特徴とする請求項５に記載の画像処理システム。
【請求項１２】  前記複数の出力条件情報は、２つ以上の描画処理要素を含む描画処理における描画処理要素の処理順序を決定する要素を含んでいることを特徴とする請求項５に記載の画像処理システム。
【請求項１３】  前記複数の出力条件情報は、２つ以上の描画処理要素を含む描画処理における任意の描画処理要素の処理を実行するか否かを決定する要素を含んでいることを特徴とする請求項５に記載の画像処理システム。
【請求項１４】  前記複数の出力条件情報は、１つ以上の描画処理要素を含む描画処理の描画処理方式を決定する要素を含んでいることを特徴とする請求項５に記載の画像処理システム。
【請求項１５】  前記複数の出力条件情報は、ユーザにより指定されるものであることを特徴とする請求項５に記載の画像処理システム。
【請求項１６】  画像処理装置と画像形成装置とを有し、前記画像処理装置は出力条件情報に基づいて生成した描画命令を前記画像形成装置へ送信し、前記画像形成装置は受信した前記描画命令に基づいて生成した出力画像を前記画像処理装置へ送信する画像処理システムであって、
前記画像処理装置は、
前記出力条件情報中の指定された領域情報に対応する出力画像を得るために必要な描画命令を生成すると共に、この生成した描画命令を前記画像形成装置へ送信する描画命令生成手段
を備えたことを特徴とする画像処理システム。
【請求項１７】  前記描画命令生成手段は、前記出力条件情報中の指定されたオブジェクト情報に対応する出力画像を得るために必要な描画命令を生成すると共に、この生成した描画命令を前記画像形成装置へ送信することを特徴とする請求項１６に記載の画像処理システム。
【請求項１８】  前記描画命令生成手段は、前記出力条件情報中の指定された属性を持つオブジェクト情報に対応する出力画像を得るために必要な描画命令を生成すると共に、この生成した描画命令を前記画像形成装置へ送信することを特徴とする請求項１６に記載の画像処理システム。
【請求項１９】  前記属性は、少なくとも、オブジェクトの種類および／またはオブジェクトのデータ量および／または出力されるオブジェクトの大きさであることを特徴とする請求項１８に記載の画像処理システム。
【請求項２０】  前記画像処理装置は、指定された複数の出力条件情報に基づいて複数種類の描画命令を生成し、これら複数種類の描画命令を前記画像形成装置へ送信する描画命令生成手段、
を備えると共に、
前記画像形成装置は、
前記描画命令生成手段から送信された複数種類の描画命令に基づいて複数の出力画像を生成し、これら複数の出力画像を前記画像処理装置へ送信する画像生成手段、
を備えたことを特徴とする請求項１６〜１９のいずれかの請求項に記載の画像処理システム。
【請求項２１】  前記画像処理装置は、
前記画像形成装置から送信された出力画像を表示する表示手段、
を更に備えたことを特徴とする請求項１６〜２０のいずれかの請求項に記載の画像処理システム。
【請求項２２】  前記画像処理装置は、
前記画像生成手段から送信された２種類以上の出力条件に対応する出力画像の全部または一部を同時に表示することを特徴とする請求項２０に記載の画像処理システム。
【請求項２３】  前記画像処理装置は、
前記画像形成装置からの出力画像のうちのユーザにより指定された出力画像に対応する出力条件に基づいて描画命令を生成すると共に、この生成した描画命令を前記画像形成装置に送信し、
前記画像形成装置は、前記画像処理装置からの描画命令を解釈して出力画像を生成して、印刷処理を実行することを特徴とする請求項１６〜２２のいずれかの請求項に記載の画像処理システム。
【請求項２４】  指定された複数の出力条件情報に基づいて複数種類の描画命令を生成する描画命令生成ステップと、
前記描画命令生成ステップにより生成された複数の描画命令を画像形成装置へ送信する送信ステップと、
前記複数種類の描画命令に基づいて複数の画像を生成した前記画像形成装置からの複数の画像を受信する受信ステップと、
前記受信ステップにより受信された複数の画像を表示手段に表示する表示制御ステップと、
を含むことを特徴とする画像処理方法。
【請求項２５】  前記表示手段に表示された複数の画像のうちのユーザにより指定される画像に対応する出力条件情報を基に描画命令を生成し、この描画命令を前記画像形成装置へ送信する特定描画命令生成ステップ
を更に含むことを特徴とする請求項２４に記載の画像処理方法。
【請求項２６】  出力条件情報に基づいて描画命令を生成する画像処理装置から送信された複数種類の描画命令を受信する受信ステップと、
前記受信ステップにより受信された複数種類の描画命令に基づいて複数の画像を生成する画像生成ステップと、
前記画像生成ステップにより生成された複数の画像を前記画像処理装置へ送信する送信ステップと、
を含むことを特徴とする画像処理方法。
【請求項２７】  前記受信ステップにより、前記複数の画像を受信した前記画像処理装置から送信され当該複数の画像中の指定された画像に対応する描画命令を受信した場合に、当該描画命令に基づいて印刷処理を実行する印刷処理ステップ
を更に含むことを特徴とする請求項２６に記載の画像処理方法。
【請求項２８】  表示手段を有する画像処理装置が出力条件情報に基づいて生成した描画命令を画像形成装置へ送信し、前記画像形成装置は前記描画命令に基づいて生成した画像を前記画像処理装置へ送信し、さらに、前記画像処理装置は受信した画像を表示手段に表示する画像処理方法であって、
前記画像処理装置は、
指定された複数の出力条件情報に基づいて複数種類の描画命令を生成すると共に、これら複数種類の描画命令を前記画像形成装置へ送信し、
前記画像形成装置は、
前記画像処理装置から送信された複数種類の描画命令に基づいて複数の画像を生成すると共に、これら複数の画像を前記画像処理装置へ送信し、
さらに、前記画像処理装置は、
前記画像形成装置から送信された複数の画像を前記表示手段に表示することを特徴とする画像処理方法。
【請求項２９】  前記画像処理装置は、
前記表示手段に表示された複数の画像のうちのユーザにより指定される画像に対応する出力条件情報を基に描画命令を生成し、この描画命令を前記画像形成装置へ送信し、
前記画像形成装置は、
前記画像処理装置から送信された描画命令に基づいて印刷処理を実行することを特徴とする請求項２８に記載の画像処理方法。
【請求項３０】  前記画像形成装置は、前記複数種類の描画命令に基づいて複数の画像を生成するに際し、色合わせ処理、ガンマ変換処理、色変換処理、変倍処理、および中間調処理の各描画処理要素のうち１つ以上の描画処理要素を含む描画処理を実行して画像を生成することを特徴とする請求項２８に記載の画像処理方法。
【請求項３１】  前記画像形成装置は、生成した複数の画像を圧縮して前記画像処理装置へ送信することを特徴とする請求項２８に記載の画像処理方法。
【請求項３２】  前記画像形成装置は、生成した複数の画像を送信する際に用いる圧縮方式を、その複数の画像を生成した描画処理に基づいて決定することを特徴とする請求項３１に記載の画像処理方法。
【請求項３３】  前記複数の画像は、前記表示手段に同時に表示されることを特徴とする請求項２８または２９に記載の画像処理方法。
【請求項３４】  前記複数の出力条件情報は、１つ以上の描画処理要素を含む描画処理のパラメータを決定する要素を含んでいることを特徴とする請求項２８に記載の画像処理方法。
【請求項３５】  前記複数の出力条件情報は、２つ以上の描画処理要素を含む描画処理における描画処理要素の処理順序を決定する要素を含んでいることを特徴とする請求項２８に記載の画像処理方法。
【請求項３６】  前記複数の出力条件情報は、２つ以上の描画処理要素を含む描画処理における任意の描画処理要素の処理を実行するか否かを決定する要素を含んでいることを特徴とする請求項２８に記載の画像処理方法。
【請求項３７】  前記複数の出力条件情報は、１つ以上の描画処理要素を含む描画処理の描画処理方式を決定する要素を含んでいることを特徴とする請求項２８に記載の画像処理方法。
【請求項３８】  前記複数の出力条件情報は、ユーザにより指定されるものであることを特徴とする請求項２８に記載の画像処理方法。
【請求項３９】  請求項２４〜２７のいずれか一つに記載された方法をコンピュータに実行させるプログラム。
【手続補正３】
【補正対象書類名】明細書
【補正対象項目名】０００１
【補正方法】変更
【補正の内容】
【０００１】
【発明の属する技術分野】
本発明は、画像処理装置、画像形成装置、画像処理システム、画像処理方法およびその方法をコンピュータに実行させるプログラムに関する。
【手続補正４】
【補正対象書類名】明細書
【補正対象項目名】０００７
【補正方法】変更
【補正の内容】
【０００７】
本発明は上記に鑑みてなされたものであって、その目的は、描画パターンに対応する出力条件を変更した場合の変更前の出力画像と変更後の出力画像とを印刷する前に容易に比較検討することができる画像処理装置、画像形成装置、画像処理システム、画像処理方法およびその方法をコンピュータに実行させるプログラムを提供することである。
【手続補正５】
【補正対象書類名】明細書
【補正対象項目名】０００８
【補正方法】変更
【補正の内容】
【０００８】
【課題を解決するための手段】
上記した課題を解決し、目的を達成するため、請求項１に記載の発明にかかる画像処理装置は、画像形成装置との間でデータの送受信を行うと共に、所定の画像を表示手段に表示する画像処理装置において、指定された複数の出力条件情報に基づいて複数種類の描画命令を生成する描画命令生成手段と、前記描画命令生成手段によって生成された複数の描画命令を前記画像形成装置へ送信する送信手段と、前記複数種類の描画命令に基づいて複数の画像を生成した前記画像形成装置からの複数の画像を受信する受信手段と、前記受信手段によって受信された複数の画像を前記表示手段に表示する表示制御手段とを備えたことを特徴とする。
【手続補正６】
【補正対象書類名】明細書
【補正対象項目名】０００９
【補正方法】変更
【補正の内容】
【０００９】
この請求項１に記載の発明によれば、描画命令生成手段が、指定された複数の出力条件情報に基づいて複数種類の描画命令を生成すると、送信手段が、その生成された複数の描画命令を画像形成装置へ送信し、また、受信手段が、前記複数種類の描画命令に基づいて複数の画像を生成した前記画像形成装置からの複数の画像を受信し、さらに、表示制御手段が、前記受信手段によって受信された複数の画像を表示手段に表示するので、画像処理装置は、指定された複数の出力条件情報に基づく複数種類の描画命令に基づいて生成された複数の画像を表示手段に表示することができる。
【手続補正７】
【補正対象書類名】明細書
【補正対象項目名】００１０
【補正方法】変更
【補正の内容】
【００１０】
請求項２に記載の発明にかかる画像処理装置は、請求項１に記載の発明において、前記表示手段に表示された複数の画像のうちのユーザにより指定される画像に対応する出力条件情報を基に描画命令を生成し、この描画命令を前記画像形成装置へ送信する特定描画命令生成手段を更に備えたことを特徴とする。
【手続補正８】
【補正対象書類名】明細書
【補正対象項目名】００１１
【補正方法】変更
【補正の内容】
【００１１】
この請求項２に記載の発明によれば、特定描画命令生成手段は、表示手段に表示された複数の画像のうちのユーザにより指定される画像に対応する出力条件情報を基に描画命令を生成し、この描画命令を画像形成装置へ送信するので、画像処理装置は、特定の画像に対応する出力条件情報を基に生成した描画命令を画像形成装置へ送信して、画像形成装置に対して印刷処理を依頼することができる。
【手続補正９】
【補正対象書類名】明細書
【補正対象項目名】００１２
【補正方法】変更
【補正の内容】
【００１２】
請求項３に記載の発明にかかる画像形成装置は、所定の画像を表示すると共に出力条件情報に基づいて描画命令を生成する画像処理装置との間でデータの送受信を行う画像形成装置において、前記画像処理装置から送信された複数種類の描画命令を受信する受信手段と、前記受信手段によって受信された複数種類の描画命令に基づいて複数の画像を生成する画像生成手段と、前記画像生成手段によって生成された複数の画像を前記画像処理装置へ送信する送信手段とを備えたことを特徴とする。
【手続補正１０】
【補正対象書類名】明細書
【補正対象項目名】００１３
【補正方法】変更
【補正の内容】
【００１３】
この請求項３に記載の発明によれば、画像生成手段が、受信手段によって受信された複数種類の描画命令に基づいて複数の画像を生成すると、送信手段が、その生成された複数の画像を画像処理装置へ送信するので、画像形成装置は、画像処理装置からの複数種類の描画命令に基づいて生成した複数の画像を画像処理装置へ送信することができる。
【手続補正１１】
【補正対象書類名】明細書
【補正対象項目名】００１４
【補正方法】変更
【補正の内容】
【００１４】
請求項４に記載の発明にかかる画像形成装置は、請求項３に記載の発明において、前記受信手段が、前記複数の画像を受信した前記画像処理装置から送信され、当該複数の画像中の指定された画像に対応する描画命令を受信した場合に、当該描画命令に基づいて印刷処理を実行する印刷処理手段を更に備えたことを特徴とする。
【手続補正１２】
【補正対象書類名】明細書
【補正対象項目名】００１５
【補正方法】変更
【補正の内容】
【００１５】
この請求項４に記載の発明によれば、画像処理装置からの指定された画像に対応する描画命令を受信手段が受信した場合には、印刷処理手段は、当該描画命令に基づいて印刷処理を実行するので、画像形成装置は、画像処理装置からの指定された画像に対応する描画命令に基づいて印刷処理を実行することができる。
【手続補正１３】
【補正対象書類名】明細書
【補正対象項目名】００１６
【補正方法】変更
【補正の内容】
【００１６】
請求項５に記載の発明にかかる画像処理システムは、画像処理装置と画像形成装置とを有し、前記画像処理装置は出力条件情報に基づいて生成した描画命令を前記画像形成装置へ送信し、前記画像形成装置は受信した前記描画命令に基づいて生成した画像を前記画像処理装置へ送信する画像処理システムであって、前記画像処理装置は、指定された複数の出力条件情報に基づいて複数種類の描画命令を生成し、これら複数種類の描画命令を前記画像形成装置へ送信する描画命令生成手段、を備え、前記画像形成装置は、前記描画命令生成手段から送信された複数種類の描画命令に基づいて複数の画像を生成し、これら複数の画像を前記画像処理装置へ送信する画像生成手段、を備え、さらに、前記画像処理装置は、前記画像生成手段から送信された複数の画像を表示する表示手段を、更に備えたことを特徴とする。
【手続補正１４】
【補正対象書類名】明細書
【補正対象項目名】００１７
【補正方法】変更
【補正の内容】
【００１７】
この請求項５に記載の発明によれば、前記画像処理装置において、描画命令生成手段が、指定された複数の出力条件情報に基づいて複数種類の描画命令を生成し、これら複数種類の描画命令を画像形成装置へ送信すると、画像形成装置では、画像生成手段が、描画命令生成手段から送信された複数種類の描画命令に基づいて複数の画像を生成し、これら複数の画像を前記画像処理装置へ送信し、さらに、前記画像処理装置では、表示手段が、画像生成手段から送信された複数の画像を表示するので、画像処理装置は、指定された複数の出力条件情報に基づく複数種類の描画命令に基づいて生成された複数の画像を表示手段に表示することができる。
【手続補正１５】
【補正対象書類名】明細書
【補正対象項目名】００１８
【補正方法】変更
【補正の内容】
【００１８】
請求項６に記載の発明にかかる画像処理システムは、請求項５に記載の発明において、前記画像処理装置は、前記表示手段に表示された複数の画像のうちのユーザにより指定される画像に対応する出力条件情報を基に描画命令を生成し、この描画命令を前記画像形成装置へ送信する特定描画命令生成手段、を更に備え、前記画像形成装置は、前記特定描画命令生成手段から送信された描画命令に基づいて印刷処理を実行する印刷処理手段、を更に備えたことを特徴とする。
【手続補正１６】
【補正対象書類名】明細書
【補正対象項目名】００１９
【補正方法】変更
【補正の内容】
【００１９】
この請求項６に記載の発明によれば、画像処理装置の特定描画命令生成手段が、表示手段に表示された複数の画像のうちのユーザにより指定される画像に対応する出力条件情報を基に描画命令を生成し、この描画命令を画像形成装置へ送信すると、画像形成装置の印刷処理手段が、特定描画命令生成手段から送信された描画命令に基づいて印刷処理を実行するので、画像形成装置は、画像処理装置からの指定された画像に対応する描画命令に基づいて印刷処理を実行することができる。
【手続補正１７】
【補正対象書類名】明細書
【補正対象項目名】００３８
【補正方法】変更
【補正の内容】
【００３８】
請求項１６に記載の発明にかかる画像処理システムは、画像処理装置と画像形成装置とを有し、前記画像処理装置は出力条件情報に基づいて生成した描画命令を前記画像形成装置へ送信し、前記画像形成装置は受信した前記描画命令に基づいて生成した出力画像を前記画像処理装置へ送信する画像処理システムであって、前記画像処理装置は、前記出力条件情報中の指定された領域情報に対応する出力画像を得るために必要な描画命令を生成すると共に、この生成した描画命令を前記画像形成装置へ送信する描画命令生成手段を備えたことを特徴とする。
【手続補正１８】
【補正対象書類名】明細書
【補正対象項目名】００３９
【補正方法】変更
【補正の内容】
【００３９】
この請求項１６に記載の発明によれば、ユーザが出力条件情報として、所望する領域情報を指定することにより、画像処理装置では、前記指定された領域を描画すべき描画命令を生成すると共に、当該描画命令に基づいて画像形成装置によって生成された描画結果を取得することができる。
【手続補正１９】
【補正対象書類名】明細書
【補正対象項目名】００４０
【補正方法】変更
【補正の内容】
【００４０】
請求項１７に記載の発明にかかる画像処理システムは、請求項１６に記載の発明において、前記描画命令生成手段は、前記出力条件情報中の指定されたオブジェクト情報に対応する出力画像を得るために必要な描画命令を生成すると共に、この生成した描画命令を前記画像形成装置へ送信することを特徴とする。
【手続補正２０】
【補正対象書類名】明細書
【補正対象項目名】００４１
【補正方法】変更
【補正の内容】
【００４１】
この請求項１７に記載の発明によれば、ユーザが出力条件情報として、所望するオブジェクト情報を指定することにより、画像処理装置では、前記指定されたオブジェクトを描画すべき描画命令を生成すると共に、当該描画命令に基づいて画像形成装置によって生成された描画結果を取得することができる。
【手続補正２１】
【補正対象書類名】明細書
【補正対象項目名】００４２
【補正方法】変更
【補正の内容】
【００４２】
請求項１８に記載の発明にかかる画像処理システムは、請求項１６に記載の発明において、前記描画命令生成手段は、前記出力条件情報中の指定された属性を持つオブジェクト情報に対応する出力画像を得るために必要な描画命令を生成すると共に、この生成した描画命令を前記画像形成装置へ送信することを特徴とする。
【手続補正２２】
【補正対象書類名】明細書
【補正対象項目名】００４３
【補正方法】変更
【補正の内容】
【００４３】
この請求項１８に記載の発明によれば、ユーザが出力条件情報として、属性を持つオブジェクト情報を指定することにより、画像処理装置では、前記指定された属性を持つオブジェクトを描画すべき描画命令を生成すると共に、当該描画命令に基づいて画像形成装置によって生成された描画結果を取得することができる。
必要な部分の出力画像を高速に得ることができる。
【手続補正２３】
【補正対象書類名】明細書
【補正対象項目名】００４６
【補正方法】変更
【補正の内容】
【００４６】
請求項２０に記載の発明にかかる画像処理システムは、請求項１６〜１９のいずれかの請求項に記載の発明において、前記画像処理装置は、指定された複数の出力条件情報に基づいて複数種類の描画命令を生成し、これら複数種類の描画命令を前記画像形成装置へ送信する描画命令生成手段、を備えると共に、前記画像形成装置は、前記描画命令生成手段から送信された複数種類の描画命令に基づいて複数の出力画像を生成し、これら複数の出力画像を前記画像処理装置へ送信する画像生成手段、を備えたことを特徴とする。
【手続補正２４】
【補正対象書類名】明細書
【補正対象項目名】００４７
【補正方法】変更
【補正の内容】
【００４７】
この請求項２０に記載の発明によれば、画像処理装置では、画像形成装置の画像生成手段によって生成された複数の出力画像を表示可能となる。
【手続補正２５】
【補正対象書類名】明細書
【補正対象項目名】００４８
【補正方法】変更
【補正の内容】
【００４８】
請求項２１に記載の発明にかかる画像処理システムは、請求項１６〜２０のいずれかの請求項に記載の発明において、前記画像処理装置は、前記画像形成装置から送信された出力画像を表示する表示手段、を更に備えたことを特徴とする。
【手続補正２６】
【補正対象書類名】明細書
【補正対象項目名】００４９
【補正方法】変更
【補正の内容】
【００４９】
この請求項２１に記載の発明によれば、画像処理装置では、表示手段によって、画像形成装置から送信された出力画像を表示することができる。
【手続補正２７】
【補正対象書類名】明細書
【補正対象項目名】００５２
【補正方法】変更
【補正の内容】
【００５２】
請求項２３に記載の発明にかかる画像処理システムは、請求項１６〜２２のいずれかの請求項に記載の発明において、前記画像処理装置は、前記画像形成装置からの出力画像のうちのユーザにより指定された出力画像に対応する出力条件に基づいて描画命令を生成すると共に、この生成した描画命令を前記画像形成装置に送信し、前記画像形成装置は、前記画像処理装置からの描画命令を解釈して出力画像を生成して、印刷処理を実行することを特徴とする。
【手続補正２８】
【補正対象書類名】明細書
【補正対象項目名】００５３
【補正方法】変更
【補正の内容】
【００５３】
この請求項２３に記載の発明によれば、画像形成装置によって、ユーザにより指定された出力画像に対応する出力条件に基づいて生成された描画命令を解釈して出力画像を生成して、印刷処理を実行することができる。
【手続補正２９】
【補正対象書類名】明細書
【補正対象項目名】００５４
【補正方法】変更
【補正の内容】
【００５４】
請求項２４に記載の発明にかかる画像処理方法は、指定された複数の出力条件情報に基づいて複数種類の描画命令を生成する描画命令生成ステップと、前記描画命令生成ステップにより生成された複数の描画命令を画像形成装置へ送信する送信ステップと、前記複数種類の描画命令に基づいて複数の画像を生成した前記画像形成装置からの複数の画像を受信する受信ステップと、前記受信ステップにより受信された複数の画像を表示手段に表示する表示制御ステップとを含むことを特徴とする。
【手続補正３０】
【補正対象書類名】明細書
【補正対象項目名】００５５
【補正方法】変更
【補正の内容】
【００５５】
この請求項２４に記載の発明によれば、描画命令生成ステップにて、指定された複数の出力条件情報に基づいて複数種類の描画命令を生成すると、送信ステップにて、その生成された複数の描画命令を画像形成装置へ送信し、また、受信ステップにて、前記複数種類の描画命令に基づいて複数の画像を生成した前記画像形成装置からの複数の画像を受信し、さらに、表示制御ステップにて、前記受信ステップにより受信された複数の画像を表示手段に表示するので、画像処理装置においては、指定された複数の出力条件情報に基づく複数種類の描画命令に基づいて生成された複数の画像を表示手段に表示することができる。
【手続補正３１】
【補正対象書類名】明細書
【補正対象項目名】００５６
【補正方法】変更
【補正の内容】
【００５６】
請求項２５に記載の発明にかかる画像処理方法は、請求項２４に記載の発明において、前記表示手段に表示された複数の画像のうちのユーザにより指定される画像に対応する出力条件情報を基に描画命令を生成し、この描画命令を前記画像形成装置へ送信する特定描画命令生成ステップを更に含むことを特徴とする。
【手続補正３２】
【補正対象書類名】明細書
【補正対象項目名】００５７
【補正方法】変更
【補正の内容】
【００５７】
この請求項２５に記載の発明によれば、特定描画命令生成ステップにて、表示手段に表示された複数の画像のうちのユーザにより指定される画像に対応する出力条件を基に描画命令を生成し、この描画命令を画像形成装置へ送信するので、特定の画像に対応する出力条件を基に生成した描画命令を画像処理装置から画像形成装置へ送信して、画像形成装置に対して印刷処理を依頼することができる。
【手続補正３３】
【補正対象書類名】明細書
【補正対象項目名】００５９
【補正方法】変更
【補正の内容】
【００５９】
この請求項２６に記載の発明によれば、画像生成ステップにて、受信ステップにより受信された複数種類の描画命令に基づいて複数の画像を生成すると、送信ステップにて、その生成された複数の画像を画像処理装置へ送信するので、画像形成装置から画像処理装置へ、画像処理装置からの複数種類の描画命令に基づいて生成した複数の画像を送信することができる。
【手続補正３４】
【補正対象書類名】明細書
【補正対象項目名】００６１
【補正方法】変更
【補正の内容】
【００６１】
この請求項２７に記載の発明によれば、画像処理装置からの指定された画像に対応する描画命令を受信ステップにより受信した場合には、印刷処理ステップにて、当該描画命令に基づいて印刷処理を実行するので、画像形成装置は、画像処理装置からの指定された画像に対応する描画命令に基づいて印刷処理を実行することができる。
【手続補正３５】
【補正対象書類名】明細書
【補正対象項目名】００６２
【補正方法】変更
【補正の内容】
【００６２】
請求項２８に記載の発明にかかる画像処理方法は、表示手段を有する画像処理装置が出力条件情報に基づいて生成した描画命令を画像形成装置へ送信し、前記画像形成装置は前記描画命令に基づいて生成した画像を前記画像処理装置へ送信し、さらに、前記画像処理装置は受信した画像を表示手段に表示する画像処理方法であって、前記画像処理装置は、指定された複数の出力条件情報に基づいて複数種類の描画命令を生成すると共に、これら複数種類の描画命令を前記画像形成装置へ送信し、前記画像形成装置は、前記画像処理装置から送信された複数種類の描画命令に基づいて複数の画像を生成すると共に、これら複数の画像を前記画像処理装置へ送信し、さらに、前記画像処理装置は、前記画像形成装置から送信された複数の画像を前記表示手段に表示することを特徴とする。
【手続補正３６】
【補正対象書類名】明細書
【補正対象項目名】００６３
【補正方法】変更
【補正の内容】
【００６３】
この請求項２８に記載の発明によれば、画像処理装置が、指定された複数の出力条件情報に基づいて複数種類の描画命令を生成し、これら複数種類の描画命令を画像形成装置へ送信すると、画像形成装置では、受信した複数種類の描画命令に基づいて複数の画像を生成し、これら複数の画像を画像処理装置へ送信し、さらに、画像処理装置では、受信した複数の画像を表示手段に表示するので、画像処理装置は、指定された複数の出力条件情報に基づく複数種類の描画命令に基づいて生成された複数の画像を表示手段に表示することができる。
【手続補正３７】
【補正対象書類名】明細書
【補正対象項目名】００６４
【補正方法】変更
【補正の内容】
【００６４】
請求項２９に記載の発明にかかる画像処理方法は、請求項２８に記載の発明において、前記画像処理装置は、前記表示手段に表示された複数の画像のうちのユーザにより指定される画像に対応する出力条件情報を基に描画命令を生成し、この描画命令を前記画像形成装置へ送信し、前記画像形成装置は、前記画像処理装置から送信された描画命令に基づいて印刷処理を実行することを特徴とする。
【手続補正３８】
【補正対象書類名】明細書
【補正対象項目名】００６５
【補正方法】変更
【補正の内容】
【００６５】
この請求項２９に記載の発明によれば、画像処理装置が、表示手段に表示された複数の画像のうちのユーザにより指定される画像に対応する出力条件情報を基に描画命令を生成し、この描画命令を画像形成装置へ送信すると、画像形成装置では、受信した描画命令に基づいて印刷処理を実行するので、画像形成装置は、画像処理装置からの指定された画像に対応する描画命令に基づいて印刷処理を実行することができる。
【手続補正３９】
【補正対象書類名】明細書
【補正対象項目名】００６６
【補正方法】変更
【補正の内容】
【００６６】
請求項３０に記載の発明にかかる画像処理方法は、請求項２８に記載の発明において、前記画像形成装置は、前記複数種類の描画命令に基づいて複数の画像を生成するに際し、色合わせ処理、ガンマ変換処理、色変換処理、変倍処理、および中間調処理の各描画処理要素のうち１つ以上の描画処理要素を含む描画処理を実行して画像を生成することを特徴とする。
【手続補正４０】
【補正対象書類名】明細書
【補正対象項目名】００６７
【補正方法】変更
【補正の内容】
【００６７】
この請求項３０に記載の発明によれば、画像形成装置は、色合わせ処理、ガンマ変換処理、色変換処理、変倍処理、および中間調処理の各描画処理要素のうち１つ以上の描画処理要素を含む描画処理を実行して画像を生成するので、高品質な画像を生成することができる。
【手続補正４１】
【補正対象書類名】明細書
【補正対象項目名】００６８
【補正方法】変更
【補正の内容】
【００６８】
請求項３１に記載の発明にかかる画像処理方法は、請求項２８に記載の発明において、前記画像形成装置は、生成した複数の画像を圧縮して前記画像処理装置へ送信することを特徴とする。
【手続補正４２】
【補正対象書類名】明細書
【補正対象項目名】００６９
【補正方法】変更
【補正の内容】
【００６９】
この請求項３１に記載の発明によれば、画像形成装置は、生成した複数の画像を圧縮して画像処理装置へ送信するので、画像処理装置との間で画像データを高速に転送することができる。
【手続補正４３】
【補正対象書類名】明細書
【補正対象項目名】００７０
【補正方法】変更
【補正の内容】
【００７０】
請求項３２に記載の発明にかかる画像処理方法は、請求項３１に記載の発明において、前記画像形成装置は、生成した複数の画像を送信する際に用いる圧縮方式を、その複数の画像を生成した描画処理に基づいて決定することを特徴とする。
【手続補正４４】
【補正対象書類名】明細書
【補正対象項目名】００７１
【補正方法】変更
【補正の内容】
【００７１】
この請求項３２に記載の発明によれば、画像形成装置は、複数の画像を生成した描画処理に基づいて決定される圧縮方式を基に当該複数の画像を圧縮して、画像処理装置へ送信するので、描画処理に適した圧縮方式で画像を圧縮処理することができる。
【手続補正４５】
【補正対象書類名】明細書
【補正対象項目名】００８６
【補正方法】変更
【補正の内容】
【００８６】
【発明の実施の形態】
以下に添付図面を参照して、この発明にかかる画像処理装置、画像形成装置、画像処理システム、画像処理方法およびその方法をコンピュータに実行させるプログラムの好適な実施の形態を詳細に説明する。
【手続補正４６】
【補正対象書類名】明細書
【補正対象項目名】０２１０
【補正方法】変更
【補正の内容】
【０２１０】
【発明の効果】
以上説明したように、請求項１に記載の発明によれば、描画命令生成手段が、指定された複数の出力条件情報に基づいて複数種類の描画命令を生成すると、送信手段が、その生成された複数の描画命令を画像形成装置へ送信し、また、受信手段が、前記複数種類の描画命令に基づいて複数の画像を生成した前記画像形成装置からの複数の画像を受信し、さらに、表示制御手段が、前記受信手段によって受信された複数の画像を表示手段に表示する。従って、この請求項１に記載の発明によれば、画像処理装置は、指定された複数の出力条件情報に基づく複数種類の描画命令に基づいて生成された複数の画像を表示手段に表示することができる。
【手続補正４７】
【補正対象書類名】明細書
【補正対象項目名】０２１１
【補正方法】変更
【補正の内容】
【０２１１】
請求項２に記載の発明によれば、特定描画命令生成手段は、表示手段に表示された複数の画像のうちのユーザにより指定される画像に対応する出力条件情報を基に描画命令を生成し、この描画命令を画像形成装置へ送信するようにしているので、画像処理装置は、特定の画像に対応する出力条件情報を基に生成した描画命令を画像形成装置へ送信して、画像形成装置に対して印刷処理を依頼することができる。
【手続補正４８】
【補正対象書類名】明細書
【補正対象項目名】０２１２
【補正方法】変更
【補正の内容】
【０２１２】
請求項３に記載の発明によれば、画像生成手段が、受信手段によって受信された複数種類の描画命令に基づいて複数の画像を生成すると、送信手段が、その生成された複数の画像を画像処理装置へ送信するようにしているので、画像形成装置は、画像処理装置からの複数種類の描画命令に基づいて生成した複数の画像を画像処理装置へ送信することができる。
【手続補正４９】
【補正対象書類名】明細書
【補正対象項目名】０２１３
【補正方法】変更
【補正の内容】
【０２１３】
請求項４に記載の発明によれば、画像処理装置からの指定された画像に対応する描画命令を受信手段が受信した場合には、印刷処理手段は、当該描画命令に基づいて印刷処理を実行するようにしているので、画像形成装置は、画像処理装置からの指定された画像に対応する描画命令に基づいて印刷処理を実行することができる。
【手続補正５０】
【補正対象書類名】明細書
【補正対象項目名】０２１４
【補正方法】変更
【補正の内容】
【０２１４】
請求項５に記載の発明によれば、前記画像処理装置において、描画命令生成手段が、指定された複数の出力条件情報に基づいて複数種類の描画命令を生成し、これら複数種類の描画命令を画像形成装置へ送信すると、画像形成装置では、画像生成手段が、描画命令生成手段から送信された複数種類の描画命令に基づいて複数の画像を生成し、これら複数の画像を前記画像処理装置へ送信し、さらに、前記画像処理装置では、表示手段が、画像生成手段から送信された複数の画像を表示するようにしているので、画像処理装置は、指定された複数の出力条件情報に基づく複数種類の描画命令に基づいて生成された複数の出力画像を表示手段に表示することができ、これによって、ユーザは、出力条件を変更した場合の変更前の出力画像と変更後の出力画像とを、記録用紙への印刷前に、容易に比較検討することができる。
【手続補正５１】
【補正対象書類名】明細書
【補正対象項目名】０２１５
【補正方法】変更
【補正の内容】
【０２１５】
請求項６に記載の発明によれば、画像処理装置において、特定描画命令生成手段が、表示手段に表示された複数の画像のうちのユーザにより指定される画像に対応する出力条件情報を基に描画命令を生成し、この描画命令を画像形成装置へ送信すると、画像形成装置では、印刷処理手段が、特定描画命令生成手段から送信された描画命令に基づいて印刷処理を実行するようにしているので、画像形成装置は、画像処理装置からの指定された画像に対応する描画命令に基づいて印刷処理を実行することができ、これによって、ユーザは、出力条件を変更した場合の変更前の出力画像と変更後の出力画像とを容易に比較検討した後、所望の出力画像について簡単な操作で印刷処理操作を実施することができる。
【手続補正５２】
【補正対象書類名】明細書
【補正対象項目名】０２１７
【補正方法】変更
【補正の内容】
【０２１７】
請求項８に記載の発明によれば、画像生成手段は、生成した複数の画像を圧縮して画像処理装置へ送信するようにしているので、画像形成装置と画像処理装置との間で画像データを高速に転送することができ、よってユーザは迅速に複数の出力画像の比較検討を行うことが可能となる。
【手続補正５３】
【補正対象書類名】明細書
【補正対象項目名】０２１８
【補正方法】変更
【補正の内容】
【０２１８】
請求項９に記載の発明によれば、画像生成手段は、複数の画像を生成した描画処理に基づいて決定される圧縮方式を基に当該複数の画像を圧縮して、画像処理装置へ送信するようにしているので、描画処理に適した圧縮方式で画像を効率よく圧縮処理することができ、しかも、画像形成装置と画像処理装置との間で画像データを高速に転送することができるので、ユーザは迅速に複数の出力画像の比較検討を行うことが可能となる。
【手続補正５４】
【補正対象書類名】明細書
【補正対象項目名】０２２５
【補正方法】変更
【補正の内容】
【０２２５】
請求項１６に記載の発明によれば、画像処理装置において、描画命令生成手段が、出力条件情報中の指定された領域情報に対応する出力画像を得るために必要な描画命令を生成すると共に、この生成した描画命令を画像形成装置へ送信するようにしたため、ユーザが出力条件情報として、所望する領域情報を指定することにより、画像処理装置では、指定された領域を描画すべき描画命令を生成すると共に、当該描画命令に基づいて画像形成装置によって生成された描画結果を取得することができる。これにより、画像処理装置では、必要な部分の出力画像を高速に得ることができるので、ユーザは所望の出力画像を迅速に確認することが可能となる。
【手続補正５５】
【補正対象書類名】明細書
【補正対象項目名】０２２６
【補正方法】変更
【補正の内容】
【０２２６】
請求項１７に記載の発明によれば、描画命令生成手段が、出力条件情報中の指定されたオブジェクト情報に対応する出力画像を得るために必要な描画命令を生成すると共に、この生成した描画命令を画像形成装置へ送信するようにしたため、ユーザが出力条件情報として、所望するオブジェクト情報を指定することにより、画像処理装置では、指定されたオブジェクトを描画すべき描画命令を生成すると共に、当該描画命令に基づいて画像形成装置によって生成された描画結果を取得することができる。これにより、画像処理装置では、必要な部分の出力画像を高速に得ることができるので、ユーザは所望の出力画像を迅速に確認することが可能となる。
【手続補正５６】
【補正対象書類名】明細書
【補正対象項目名】０２２７
【補正方法】変更
【補正の内容】
【０２２７】
請求項１８に記載の発明によれば、描画命令生成手段が、出力条件情報中の指定された属性を持つオブジェクト情報に対応する出力画像を得るために必要な描画命令を生成すると共に、この生成した描画命令を前記画像形成装置へ送信するようにしたため、ユーザが出力条件情報として、属性を持つオブジェクト情報を指定することにより、画像処理装置では、指定された属性を持つオブジェクトを描画すべき描画命令を生成すると共に、当該描画命令に基づいて画像形成装置によって生成された描画結果を取得することができる。これにより、画像処理装置では、必要な部分の出力画像を高速に得ることができるので、ユーザは所望の出力画像を迅速に確認することが可能となる。
【手続補正５７】
【補正対象書類名】明細書
【補正対象項目名】０２２９
【補正方法】変更
【補正の内容】
【０２２９】
請求項２０に記載の発明によれば、画像処理装置において、描画命令生成手段が、指定された複数の出力条件情報に基づいて複数種類の描画命令を生成し、これら複数種類の描画命令を画像形成装置へ送信すると、画像形成装置では、画像生成手段が、前記描画命令生成手段から送信された複数種類の描画命令に基づいて複数の出力画像を生成し、これら複数の出力画像を前記画像処理装置へ送信するようにしたため、画像処理装置では、画像形成装置の画像生成手段によって生成された複数の出力画像を表示可能となる。これにより、画像処理装置では、ユーザに対して、これら表示された複数の出力画像のユーザによる比較検討情報を提供することが可能となる。よって、ユーザは、出力条件の相違による出力画像の相違を容易に比較することができる。
【手続補正５８】
【補正対象書類名】明細書
【補正対象項目名】０２３０
【補正方法】変更
【補正の内容】
【０２３０】
請求項２１に記載の発明によれば、画像処理装置は、画像形成装置から送信された出力画像を表示する表示手段を更に備えるようにしたため、表示手段によって、画像形成装置から送信された出力画像を表示することができる。
【手続補正５９】
【補正対象書類名】明細書
【補正対象項目名】０２３２
【補正方法】変更
【補正の内容】
【０２３２】
請求項２３に記載の発明によれば、画像処理装置は、前記画像形成装置からの出力画像のうちのユーザにより指定された出力画像に対応する出力条件に基づいて描画命令を生成すると共に、この生成した描画命令を画像形成装置に送信し、画像形成装置は、前記画像処理装置からの描画命令を解釈して出力画像を生成して、印刷処理を実行するようにしたため、画像形成装置によって、ユーザにより指定された出力画像に対応する出力条件に基づいて生成された描画命令を解釈して出力画像を生成して、印刷処理を実行することができる。これにより、ユーザは、出力条件の相違による出力画像の相違を容易に比較して、簡単な操作で最適な出力条件を指定して印刷することができる。
【手続補正６０】
【補正対象書類名】明細書
【補正対象項目名】０２３３
【補正方法】変更
【補正の内容】
【０２３３】
請求項２４に記載の発明によれば、描画命令生成ステップにて、指定された複数の出力条件情報に基づいて複数種類の描画命令を生成すると、送信ステップにて、その生成された複数の描画命令を画像形成装置へ送信し、また、受信ステップにて、前記複数種類の描画命令に基づいて複数の画像を生成した前記画像形成装置からの複数の画像を受信し、さらに、表示制御ステップにて、前記受信ステップにより受信された複数の画像を表示手段に表示するようにしているので、画像処理装置においては、指定された複数の出力条件情報に基づく複数種類の描画命令に基づいて生成された複数の画像を表示手段に表示することができる。
【手続補正６１】
【補正対象書類名】明細書
【補正対象項目名】０２３４
【補正方法】変更
【補正の内容】
【０２３４】
請求項２５に記載の発明によれば、特定描画命令生成ステップにて、表示手段に表示された複数の画像のうちのユーザにより指定される画像に対応する出力条件情報を基に描画命令を生成し、この描画命令を画像形成装置へ送信するようにしているので、特定の画像に対応する出力条件情報を基に生成した描画命令を画像処理装置から画像形成装置へ送信して、画像形成装置に対して印刷処理を依頼することができる。
【手続補正６２】
【補正対象書類名】明細書
【補正対象項目名】０２３５
【補正方法】変更
【補正の内容】
【０２３５】
請求項２６に記載の発明によれば、画像生成ステップにて、受信ステップにより受信された複数種類の描画命令に基づいて複数の画像を生成すると、送信ステップにて、その生成された複数の画像を画像処理装置へ送信するようにしているので、画像形成装置から画像処理装置へ、画像処理装置からの複数種類の描画命令に基づいて生成した複数の画像を送信することができる。
【手続補正６３】
【補正対象書類名】明細書
【補正対象項目名】０２３６
【補正方法】変更
【補正の内容】
【０２３６】
請求項２７に記載の発明によれば、画像処理装置からの指定された画像に対応する描画命令を受信ステップにより受信した場合には、印刷処理ステップにて、当該描画命令に基づいて印刷処理を実行するようにしているので、画像形成装置は、画像処理装置からの指定された画像に対応する描画命令に基づいて印刷処理を実行することができる。
【手続補正６４】
【補正対象書類名】明細書
【補正対象項目名】０２３７
【補正方法】変更
【補正の内容】
【０２３７】
請求項２８に記載の発明によれば、画像処理装置が、指定された複数の出力条件情報に基づいて複数種類の描画命令を生成し、これら複数種類の描画命令を画像形成装置へ送信すると、画像形成装置では、受信した複数種類の描画命令に基づいて複数の画像を生成し、これら複数の画像を画像処理装置へ送信し、さらに、画像処理装置では、受信した複数の画像を表示手段に表示するようにしているので、画像処理装置は、指定された複数の出力条件情報に基づく複数種類の描画命令に基づいて生成された複数の画像を表示手段に表示することができ、これによって、ユーザは、出力条件を変更した場合の変更前の出力画像と変更後の出力画像とを、記録用紙への印刷前に、容易に比較検討することができる。
【手続補正６５】
【補正対象書類名】明細書
【補正対象項目名】０２３８
【補正方法】変更
【補正の内容】
【０２３８】
請求項２９に記載の発明によれば、画像処理装置が、表示手段に表示された複数の画像のうちのユーザにより指定される画像に対応する出力条件情報を基に描画命令を生成し、この描画命令を画像形成装置へ送信すると、画像形成装置では、受信した描画命令に基づいて印刷処理を実行するようにしているので、画像形成装置は、画像処理装置からの指定された画像に対応する描画命令に基づいて印刷処理を実行することができ、これによって、ユーザは、出力条件を変更した場合の変更前の出力画像と変更後の出力画像とを容易に比較検討した後、所望の出力画像について簡単な操作で印刷処理操作を実施することができる。
【手続補正６６】
【補正対象書類名】明細書
【補正対象項目名】０２３９
【補正方法】変更
【補正の内容】
【０２３９】
請求項３０に記載の発明によれば、画像形成装置は、色合わせ処理、ガンマ変換処理、色変換処理、変倍処理、および中間調処理の各描画処理要素のうち１つ以上の描画処理要素を含む描画処理を実行して画像を生成するようにしているので、高品質な出力画像を生成することができる。
【手続補正６７】
【補正対象書類名】明細書
【補正対象項目名】０２４０
【補正方法】変更
【補正の内容】
【０２４０】
請求項３１に記載の発明によれば、画像形成装置は、生成した複数の画像を圧縮して画像処理装置へ送信するので、画像形成装置と画像処理装置との間で画像データを高速に転送することができ、よってユーザは迅速に複数の出力画像の比較検討を行うことが可能となる。
【手続補正６８】
【補正対象書類名】明細書
【補正対象項目名】０２４１
【補正方法】変更
【補正の内容】
【０２４１】
請求項３２に記載の発明によれば、画像形成装置は、複数の画像を生成した描画処理に基づいて決定される圧縮方式を基に当該複数の画像を圧縮して、画像処理装置へ送信するようにしているので、描画処理に適した圧縮方式で画像を効率よく圧縮処理することができ、しかも、画像形成装置と画像処理装置との間で画像データを高速に転送することができるので、ユーザは迅速に複数の出力画像の比較検討を行うことが可能となる。